(57)【要約】【課題】ヒンジキャップの不正開封を防止すると共に、その煩雑な組み付け作業を容易にする。【解決手段】本発明のヒンジキャップ100は、容器口部に取り付けられ注出口113を通して当該容器内の内容物を注出する栓体110と、この栓体110の注出口113を覆う保護カバー120とを備え、この保護カバー120は、栓体110にヒンジ122を介して繋がりその注出口113を開閉するヒンジ蓋(121〜125)と、その閉じ動作により栓体110の基部111に嵌着固定される固定部127と、この固定部127とヒンジ蓋(121〜125)との間を一体に破断除去可能に形成したバンド部126からなる。【選択図】図２
2006306471.tif 000002
【特許請求の範囲】
【請求項１】
容器口部に取り付けられ注出口を通して当該容器内の内容物を注出する栓体と、この栓体の注出口を覆う保護カバーとを備え、
前記保護カバーは、前記栓体にヒンジを介して繋がりその注出口を開閉する蓋体と、その閉じ動作により前記栓体の基部に嵌着固定される固定部と、この固定部と前記蓋体との間を一体に破断除去可能に形成したバンド部からなることを特徴とするヒンジキャップ。
【請求項２】
容器口部に取り付けられ注出口を通して当該容器内の内容物を注出する栓体と、この栓体の注出口を覆う保護カバーとを備え、
前記保護カバーは、前記栓体にヒンジを介して繋がりその注出口を開閉する蓋体と、その閉じ動作により前記栓体の基部に嵌着固定される固定部と、この固定部と前記蓋体との間を一体に繋いでその開き動作に伴う破断によって当該固定部との間を分離する連結部とからなることを特徴とするヒンジキャップ。
【発明の詳細な説明】
【技術分野】
【０００１】
本発明は、容器口部に取り付けられ注出口を通して当該容器内の内容物を注出する栓体と、この栓体にヒンジを介して繋がりその注出口を開閉する蓋体とを備えるヒンジキャップであって、その蓋体が流通段階において不正に開封されないための技術に関するものである。
【背景技術】
【０００２】
ヒンジキャップは、その蓋体を開けると栓体の注出口が剥き出しになるため、流通段階において不正に開封されないように、その栓体と蓋体との間に当該蓋体の閉蓋状態を明示する機構、所謂、バージン機構を設けたものがあり、かかる機構としては、例えば、リング部材を、下蓋となる栓体と、上蓋となる蓋体との間に介在させて、互いを係合保持させたものがある（特許文献１参照。）。
【特許文献１】特開２００１−３１５８２０号公報
【発明の開示】
【発明が解決しようとする課題】
【０００３】
しかしながら、上記した従来技術は、下蓋にリング部材をセットしたのち、更にリング部材に上蓋（ヒンジ蓋）をセットする必要があるため、組み付け作業が煩雑である。
【０００４】
本発明の解決すべき課題は、ヒンジキャップの不正開封を防止すると共に、その煩雑な組み付け作業を容易にすることである。
【課題を解決するための手段】
【０００５】
請求項１に記載の発明は、容器口部に取り付けられ注出口を通して当該容器内の内容物を注出する栓体と、この栓体の注出口を覆う保護カバーとを備え、前記保護カバーは、前記栓体にヒンジを介して繋がりその注出口を開閉する蓋体と、その閉じ動作により前記栓体の基部に嵌着固定される固定部と、この固定部と前記蓋体との間を一体に破断除去可能に形成したバンド部からなることを特徴とするヒンジキャップである。
【０００６】
請求項２に記載の発明は、容器口部に取り付けられ注出口を通して当該容器内の内容物を注出する栓体と、この栓体の注出口を覆う保護カバーとを備え、前記保護カバーは、前記栓体にヒンジを介して繋がりその注出口を開閉する蓋体と、その閉じ動作により前記栓体の基部に嵌着固定される固定部と、この固定部と前記蓋体との間を一体に繋いでその開き動作に伴う破断によって当該固定部との間を分離する連結部とを備えることを特徴とするヒンジキャップである。
【発明の効果】
【０００７】
請求項１に記載の発明は、バンド部と固定部とを一体に備える保護カバーが、その一部をなす蓋体の閉じ動作により栓体の基部に嵌着固定されるため、流通段階において、未開封状態を維持することができる。また、開封するにあたっては、バンド部を破断除去しなければならないため、既に開封されたか否かを視覚或いは触覚で判断することができる。従って、本発明によれば、保護カバーの不正開封を防止することができる。
【０００８】
更に、この場合は、保護カバーの一部をなす蓋体を閉じるだけで当該保護カバーが栓体の基部に嵌着固定されるため、組み付け作業が容易である。
【０００９】
同様に、請求項２に記載の発明は、連結部と固定部とを一体に備える保護カバーが、その一部をなす蓋体の閉じ動作により栓体の基部に嵌着固定されるため、流通段階において、未開封状態を維持することができる。また、開封するにあたっては、連結部を破断させなければならないため、既に開封されたか否かを視覚或いは触覚で判断することができる。従って、本発明によれば、保護カバーの不正開封を防止することができる。
【００１０】
更に、この場合も、保護カバーの一部をなす蓋体を閉じるだけで当該保護カバーが栓体の基部に嵌着固定されるため、組み付け作業が容易である。更に、開封時も、蓋体の開き動作に伴う連結部の破断のみによって達成されるため、開封作業も容易になる。
【発明を実施するための最良の形態】
【００１１】
以下、図面を参照して本発明を詳細に説明する。
【００１２】
図１は、本発明の一形態であるヒンジキャップ100であって、その未開封状態及び開封状態を示す側面図である。また、図２は、ヒンジキャップ100の未開封状態を示す要部断面図である。更に、図３(a),(b)はそれぞれ、後述の保護カバーを示す断面図と、後述のバンド部を示す斜視図である。なお、ヒンジキャップ100は、容器を傾けることにより内容物を注出するため、以下の説明において、便宜上、傾ける向きを前側とし、それに対向する向きを後側と定義する。
【００１３】
図１において、符号110は、容器口部（図示省略。）に取り付けられる栓体であり、筒状に形成された基部111と、この基部111に一体に繋がる主部112からなり、この主部112は、容器内に通じる注出口113を有する。即ち、栓体110は、基部111と、注出口113を有する主部112とを一体成形してなる。なお、主部112は、その内側に一体に垂下する筒状部114を有し、この筒状部114の内側に設けたリブ115により容器口部に嵌着される。
【００１４】
符号120は、栓体110の注出口113を覆い、不正開封を防止する機能を併せ持つ保護カバーである。この保護カバー120は、栓体110の基部111と主部112との間に形成された嵌合穴ｎ1に固定される脚部121を有し、この脚部121にヒンジ122を介して一体に繋がる天板123と、この天板123の内側下面から一体に垂下して注出口113を封止する封止突起124と、この封止突起124の周りに天板123の内側下面から一体に垂下する側壁125とからなるヒンジ蓋(121〜125)を備える。
【００１５】
側壁125は、主部112の上面112fに当接すると共に、第一薄肉部Ｔ1を介してバンド部126が一体に繋がり、このバンド部126には、第二薄肉部Ｔ2を介して固定部127が一体に連設されている。この固定部127は、バンド部126に一体に繋がるベース127aと、このベース127aから一体に放射状に間欠配置された係止突起127bとからなる。
【００１６】
即ち、保護カバー120は、脚部121、ヒンジ122、天板123、封止突起124及び環状壁125からなるヒンジ蓋と、バンド部126及び固定部127とを一体成形してなる。
【００１７】
栓体基部111の前側肩部111ｓの上部には、係止溝Ｓが設けられている。この係止溝Ｓは、前側肩部111ｓに、基部111の前側壁111ｆ1の上端から一体に繋がる係止段部111ｆ2を有する。これにより、保護カバー120に設けた係止突起127bは、図２に示す如く、保護カバー120の一部をなすヒンジ蓋(121〜125)の閉じ動作により係止溝Ｓに嵌まり込んで、その係止段部111ｆ2により嵌着固定される。これにより、保護カバー120は、栓体110の基部111に固定される。なお、係止突起127bは、ベース127aの全範囲に亙って設けられたフランジであってもよい。
【００１８】
即ち、保護カバー120は、栓体110の嵌合穴ｎ1に保護カバー120の脚部121を差し込んで基部111に固定される一方、保護カバー120の一部をなすヒンジ蓋(121〜125)を閉じると、固定部127の係止突起127bが基部111に設けた係止段部111ｆ2に嵌着固定される。これにより、栓体110に保護カバー120を強固に固定してなるヒンジキャップ100が形成される。このため、使用者は、バンド部126に設けた把持部126pを摘んで、バンド部126を薄肉部Ｔ1,Ｔ2に沿って破断しないと、保護カバー120を開封することはできない。
【００１９】
上述したことから明らかな如く、本形態のヒンジキャップ100は、バンド部126を一体に備える保護カバー120が、その一部をなすヒンジ蓋(121〜125)の閉じ動作により基部111に設けた係止段部111f2に嵌着固定されるため、流通段階において、未開封状態を維持することができる。また、開封するにあたっては、バンド部126を破断除去しなければならないため、既に開封されたか否かを視覚或いは触覚で判断することができる。従ってヒンジキャップ100によれば、保護カバー120の不正開封を防止することができる。
【００２０】
更に、この場合は、保護カバー120の一部をなすヒンジ蓋(121〜125)を閉じるだけで保護カバー120が栓体基部111の係止段部111f2により嵌着固定されるため、組み付け作業が容易である。
【００２１】
ところで、本発明は、請求の範囲において種々の変更を加えることができる。例えば、本形態において、栓体110とヒンジ蓋(121〜125)とは別体として構成しているが、一体に成形することも可能である。
【００２２】
また、本発明は、バンド部126を設けることなく薄肉の連結部のみを介して固定部127を一体に設け、この固定部127の係止突起127bを栓体110の係止段部111f2に嵌着固定させてもよい。
【００２３】
この場合も、保護カバー120が、その一部をなす蓋体（ヒンジ蓋）の閉じ動作により栓体基部111に嵌着固定されるため、流通段階において、未開封状態を維持することができる。また、開封するにあたっても、連結部を破断させなければならないため、既に開封されたか否かを視覚或いは触覚で判断することができる。従って、保護カバーの不正開封を防止することができる。
【００２４】
更に、この場合も、保護カバー120の一部をなす蓋体を閉じるだけで保護カバーが栓体110に設けた係止段部111f2により嵌着固定されるため、組み付け作業が容易である。更に、開封作業も、天板123に突出部123pを設け、この突出部123pに引っ掛けた指による引き起こし動作に伴う連結部の破断のみによって達成されるため、開封作業も容易になる。なお、かかる構成における連結部は、間欠的に配置された小片からなる薄肉片であってもよい。
【図面の簡単な説明】
【００２５】
【図１】本発明の一形態であるヒンジキャップであって、その未開封状態及び開封状態を示す側面図である。
【図２】同形態のヒンジキャップの未開封状態を示す要部断面図である
【図３】(a),(b)はそれぞれ、同形態において、後述のカバーを示す断面図と、後述の毟り栓を示す斜視図である。
【符号の説明】
【００２６】
100    ヒンジキャップ
110    栓体
111    基部
112    主部
120    保護カバー
126    バンド部
127    固定部
127a   ベース
127b   係止突起
Ｓ    係止溝
【図１】
2006306471.tif 000003
【図２】
2006306471.tif 000004
【図３】
2006306471.tif 000005